(57)【要約】本発明は企業ロゴ又は製品などの登録されたイメージを認識して３Ｄ広告を拡張現実として提供することにより、広告効果を極大化することができるようにするシステム及び方法に関するものであり、製品イメージ情報及び拡張現実コンテンツ情報を受信する拡張現実情報受信部、受信した製品イメージ情報及び拡張現実コンテンツ情報を保存する拡張現実情報データベース、使用者端末機からカメラで撮影した映像を受信する撮影映像受信部、保存された製品イメージ情報の中で撮影された映像に対応する製品イメージ情報を識別するイメージ識別部、及び識別された製品イメージ情報に対応する拡張現実コンテンツ情報を使用者端末機に伝送する拡張現実情報伝送部を含む拡張現実に基づくコンテンツ提供システム及び方法が提供される。【選択図】  図２
2021534518.tif 000002
【特許請求の範囲】
【請求項１】
製品イメージ情報及び拡張現実コンテンツ情報を受信する拡張現実情報受信部と、
前記拡張現実情報受信部で受信した製品イメージ情報及び拡張現実コンテンツ情報を保存する拡張現実情報データベースと、
使用者端末機からカメラで撮影した映像を受信する撮影映像受信部と、
前記拡張現実情報データベースに保存された製品イメージ情報の中で前記撮影された映像に対応する製品イメージ情報を識別するイメージ識別部と、
前記識別された製品イメージ情報に対応する拡張現実コンテンツ情報を前記使用者端末機に伝送する拡張現実情報伝送部と、を含む、拡張現実コンテンツ提供システム。
【請求項２】
前記製品イメージ情報は製品の少なくとも一部に対する一つ以上のイメージを含み、
前記拡張現実情報データベースは前記製品の少なくとも一部に対するイメージのそれぞれに前記拡張現実コンテンツ情報を対応させて保存し、
前記イメージ識別部は前記撮影された映像に対応する前記製品の少なくとも一部に対するイメージを識別し、
前記拡張現実情報伝送部は前記識別された製品の少なくとも一部に対するイメージに対応する前記拡張現実コンテンツ情報を前記使用者端末機に伝送することを特徴とする、請求項１に記載の拡張現実コンテンツ提供システム。
【請求項３】
前記製品イメージ情報は製品識別情報をさらに含み、
前記イメージ識別部は前記撮影された映像に対応する前記製品識別情報を確認して前記製品イメージ情報を識別し、
前記識別された製品イメージ情報に含まれた前記製品の少なくとも一部に対するイメージの中で前記撮影された映像に対応するイメージを識別することを特徴とする、請求項２に記載の拡張現実コンテンツ提供システム。
【請求項４】
前記拡張現実情報受信部は拡張現実コンテンツ露出費用情報をさらに受信し、
前記拡張現実情報伝送部は前記拡張現実情報データベースで前記受信した製品イメージ情報が重複する場合、前記拡張現実コンテンツ露出費用情報に基づいて前記使用者端末機に伝送すべき拡張現実コンテンツ情報を選定することを特徴とする、請求項１に記載の拡張現実コンテンツ提供システム。
【請求項５】
前記拡張現実情報受信部は前記拡張現実コンテンツに対応する地域情報をさらに含み、
前記拡張現実情報伝送部は前記使用者端末機から前記使用者端末機の位置情報を受信し、前記位置情報及び前記地域情報の対応可否に基づいて前記伝送すべき拡張現実コンテンツ情報を決定することを特徴とする、請求項１に記載の拡張現実コンテンツ提供システム。
【請求項６】
拡張現実情報受信部で製品イメージ情報及び拡張現実コンテンツ情報を受信する段階と、
拡張現実情報データベースに前記拡張現実情報受信部で受信した製品イメージ情報及び拡張現実コンテンツ情報を拡張現実情報データベースに保存する段階と、
撮影映像受信部で使用者端末機からカメラで撮影した映像を受信する段階と、
イメージ識別部で前記拡張現実情報データベースに保存された製品イメージ情報の中で前記撮影された映像に対応する製品イメージ情報を識別する段階と、
拡張現実情報伝送部で前記識別された製品イメージ情報に対応する拡張現実コンテンツ情報を前記使用者端末機に伝送する段階と、を含む、拡張現実コンテンツ提供方法。
【請求項７】
前記製品イメージ情報は製品の少なくとも一部に対する一つ以上のイメージを含み、
前記拡張現実情報データベースは前記製品の少なくとも一部に対するイメージのそれぞれに前記拡張現実コンテンツ情報を対応させて保存し、
前記製品イメージ情報を識別する段階は、前記撮影された映像に対応する前記製品の少なくとも一部に対するイメージを識別し、
前記拡張現実コンテンツ情報を前記使用者端末機に伝送する段階は、前記識別された製品の少なくとも一部に対するイメージに対応する前記拡張現実コンテンツ情報を前記使用者端末機に伝送することを特徴とする、請求項６に記載の拡張現実コンテンツ提供方法。
【請求項８】
前記製品イメージ情報は製品識別情報をさらに含み、
前記製品イメージ情報を識別する段階は、前記撮影された映像に対応する前記製品識別情報を確認して前記製品イメージ情報を識別し、前記識別された製品イメージ情報に含まれた前記製品の少なくとも一部に対するイメージの中で前記撮影された映像に対応するイメージを識別することを特徴とする、請求項７に記載の拡張現実コンテンツ提供方法。
【請求項９】
前記製品イメージ情報及び拡張現実コンテンツ情報を受信する段階は、前記拡張現実コンテンツ露出費用情報をさらに受信し、
前記拡張現実コンテンツ情報を前記使用者端末機に伝送する段階は、前記拡張現実情報データベースで前記受信した製品イメージ情報が重複する場合、前記拡張現実コンテンツ露出費用情報に基づいて前記使用者端末機に伝送すべき拡張現実コンテンツ情報を選定することを特徴とする、請求項６に記載の拡張現実コンテンツ提供方法。
【請求項１０】
前記製品イメージ情報及び拡張現実コンテンツ情報を受信する段階は、前記拡張現実コンテンツに対応する地域情報をさらに含み、
前記拡張現実コンテンツ情報を前記使用者端末機に伝送する段階は、前記使用者端末機から前記使用者端末機の位置情報を受信し、前記位置情報及び前記地域情報の対応可否に基づいて前記伝送すべき拡張現実コンテンツ情報を決定することを特徴とする、請求項６に記載の拡張現実コンテンツ提供方法。
【請求項１１】
請求項６〜１０のいずれか一項に記載の方法を実行するためのプログラムが記録された記録媒体。
【発明の詳細な説明】
【技術分野】
【０００１】
本発明は拡張現実に基づくコンテンツ提供システム及び方法に関するもので、企業のロゴ又は製品などの登録されたイメージを認識して３Ｄ広告を拡張現実として提供することにより、広告効果を極大化することができるようにするシステム及び方法に関するものである。
【背景技術】
【０００２】
拡張現実技術は、現実世界の映像に３Ｄオブジェクトなどの客体を整合して提供することにより、実際の現実世界に該当オブジェクトが存在するような現実感を提供することができるようにする技術である。
【０００３】
従来の技術である韓国公開特許第１０−２０１６−００９２２９２号の“広告物に対する拡張現実サービス提供システム及び方法”は、広告物に表示されたマーカーを認識して拡張現実広告を提供するようにする技術で、図１を見れば、カメラで広告物に表示されたマーカーを撮影すればマーカーを認識して拡張現実広告を提供することができるようにするものであるが、このような広告を具現するためには、消費者にマーカーの含まれた広告物を伝達しなければならない不便さがある。
【０００４】
したがって、別途の広告物などがなくも現実感ある拡張現実広告を提供することができるようにするシステム及び方法が要求される。
【発明の概要】
【発明が解決しようとする課題】
【０００５】
本発明は、使用者が使用者端末機で製品を撮影して、別途の広告物などがなくても、現実感ある拡張現実コンテンツを受けることができるようにすることを目的とする。
【０００６】
本発明は、撮影された製品の一部のイメージで製品を識別することができるようにすることにより、使用者が製品の一部を撮影しても拡張現実コンテンツを受けることができるようにすることを目的とする。
【０００７】
本発明は、撮影された製品の一部のイメージで該当製品の一部を識別することにより、使用者が望む製品の特定部分の情報のための拡張現実コンテンツを受けることができるようにすることを目的とする。
【０００８】
本発明は、拡張現実コンテンツ露出費用情報に基づいて使用者端末機に伝送すべき拡張現実コンテンツ情報を選定することにより、同じ拡張現実コンテンツを提供しようとする広告主が拡張現実コンテンツ露出費用による公正な競争ができるようにすることを目的とする。
【０００９】
本発明は、位置情報及び地域情報の対応可否に基づいて伝送すべき拡張現実コンテンツ情報を決定することにより、限定された地域でコンテンツを提供しようとする広告主が効率的にコンテンツを提供することができるようにすることを目的とする。
【課題を解決するための手段】
【００１０】
このような目的を達成するために、本発明の一実施例による拡張現実コンテンツ提供システムは、製品イメージ情報及び拡張現実コンテンツ情報を受信する拡張現実情報受信部と、前記拡張現実情報受信部で受信した製品イメージ情報及び拡張現実コンテンツ情報を保存する拡張現実情報データベースと、使用者端末機からカメラで撮影した映像を受信する撮影映像受信部と、前記拡張現実情報データベースに保存された製品イメージ情報の中で前記撮影された映像に対応する製品イメージ情報を識別するイメージ識別部と、前記識別された製品イメージ情報に対応する拡張現実コンテンツ情報を前記使用者端末機に伝送する拡張現実情報伝送部とを含んでなることができる。
【００１１】
また、前記製品イメージ情報は製品の少なくとも一部に対する一つ以上のイメージを含み、前記拡張現実情報データベースは前記製品の少なくとも一部に対するイメージのそれぞれに前記拡張現実コンテンツ情報を対応させて保存し、前記イメージ識別部は前記撮影された映像に対応する前記製品の少なくとも一部に対するイメージを識別し、前記拡張現実情報伝送部は前記識別された製品の少なくとも一部に対するイメージに対応する前記拡張現実コンテンツ情報を前記使用者端末機に伝送することを特徴として構成されることができる。
【００１２】
また、前記製品イメージ情報は製品識別情報をさらに含み、前記イメージ識別部は前記撮影された映像に対応する前記製品識別情報を確認して前記製品イメージ情報を識別し、前記識別された製品イメージ情報に含まれた前記製品の少なくとも一部に対するイメージの中で前記撮影された映像に対応するイメージを識別することを特徴として構成されることができる。
【００１３】
また、前記拡張現実情報受信部は前記拡張現実コンテンツ露出費用情報をさらに受信し、前記拡張現実情報伝送部は前記拡張現実情報データベースで前記受信した製品イメージ情報が重複する場合、前記拡張現実コンテンツ露出費用情報に基づいて前記使用者端末機に伝送すべき拡張現実コンテンツ情報を選定することを特徴として構成されることができる。
【００１４】
また、前記拡張現実情報受信部は前記拡張現実コンテンツに対応する地域情報をさらに含み、前記拡張現実情報伝送部は前記使用者端末機から前記使用者端末機の位置情報を受信し、前記位置情報及び前記地域情報の対応可否に基づいて前記伝送すべき拡張現実コンテンツ情報を決定することを特徴として構成されることができる。
【発明の効果】
【００１５】
本発明は、使用者が使用者端末機で製品を撮影して、別途の広告物などがなくても、現実感ある拡張現実コンテンツを受けることができるようにする。
【００１６】
本発明は、撮影された製品の一部のイメージで製品を識別することができるようにすることにより、使用者が製品の一部を撮影しても拡張現実コンテンツを受けることができるようにする。
【００１７】
本発明は、撮影された製品の一部のイメージでその製品の一部を識別することにより、使用者が望む製品の特定部分の情報のための拡張現実コンテンツを受けることができるようにする。
【００１８】
本発明は、拡張現実コンテンツ露出費用情報に基づいて使用者端末機に伝送すべき拡張現実コンテンツ情報を選定することにより、同じ拡張現実コンテンツを提供しようとする広告主が拡張現実コンテンツ露出費用による公正な競争ができるようにする。
【００１９】
本発明は、位置情報及び地域情報の対応可否に基づいて伝送すべき拡張現実コンテンツ情報を決定することにより、限定された地域でコンテンツを提供しようとする広告主が効率的にコンテンツを提供するようにする。
【図面の簡単な説明】
【００２０】
【図１】従来技術による広告物に表示されたマーカーを認識して拡張現実広告を提供するようにする技術を示す図である。
【図２】本発明の一実施例による拡張現実コンテンツ提供システムの構成を示す図である。
【図３】本発明の一実施例によるカメラで製品の一部に対するイメージである前面映像を撮影した後に拡張現実に基づくコンテンツを提供する一例を示す図である。
【図４】本発明の一実施例によるカメラで製品の一部に対するイメージである側面映像を撮影した後に拡張現実に基づくコンテンツを提供する一例を示す図である。
【図５】本発明の一実施例によるカメラで製品の一部に対するイメージである細部映像を撮影した後に拡張現実に基づくコンテンツを提供する一例を示す図である。
【図６】本発明の一実施例による拡張現実コンテンツ提供方法のフローチャートを示す図である。
【発明を実施するための形態】
【００２１】
このような目的を達成するために、本発明の一実施例による拡張現実コンテンツ提供システムは、製品イメージ情報及び拡張現実コンテンツ情報を受信する拡張現実情報受信部と、前記拡張現実情報受信部で受信した製品イメージ情報及び拡張現実コンテンツ情報を保存する拡張現実情報データベースと、使用者端末機からカメラで撮影した映像を受信する撮影映像受信部と、前記拡張現実情報データベースに保存された製品イメージ情報の中で前記撮影された映像に対応する製品イメージ情報を識別するイメージ識別部と、前記識別された製品イメージ情報に対応する拡張現実コンテンツ情報を前記使用者端末機に伝送する拡張現実情報伝送部とを含んでなることができる。
【００２２】
また、前記製品イメージ情報は製品の少なくとも一部に対する一つ以上のイメージを含み、前記拡張現実情報データベースは前記製品の少なくとも一部に対するイメージのそれぞれに前記拡張現実コンテンツ情報を対応させて保存し、前記イメージ識別部は前記撮影された映像に対応する前記製品の少なくとも一部に対するイメージを識別し、前記拡張現実情報伝送部は前記識別された製品の少なくとも一部に対するイメージに対応する前記拡張現実コンテンツ情報を前記使用者端末機に伝送することを特徴として構成されることができる。
【００２３】
また、前記製品イメージ情報は製品識別情報をさらに含み、前記イメージ識別部は前記撮影された映像に対応する前記製品識別情報を確認して前記製品イメージ情報を識別し、前記識別された製品イメージ情報に含まれた前記製品の少なくとも一部に対するイメージの中で前記撮影された映像に対応するイメージを識別することを特徴として構成されることができる。
【００２４】
また、前記拡張現実情報受信部は前記拡張現実コンテンツ露出費用情報をさらに受信し、前記拡張現実情報伝送部は前記拡張現実情報データベースで前記受信した製品イメージ情報が重複する場合、前記拡張現実コンテンツ露出費用情報に基づいて前記使用者端末機に伝送すべき拡張現実コンテンツ情報を選定することを特徴として構成されることができる。
【００２５】
また、前記拡張現実情報受信部は前記拡張現実コンテンツに対応する地域情報をさらに含み、前記拡張現実情報伝送部は前記使用者端末機から前記使用者端末機の位置情報を受信し、前記位置情報及び前記地域情報の対応可否に基づいて前記伝送すべき拡張現実コンテンツ情報を決定することを特徴として構成されることができる。
【００２６】
発明の実施のための形態
以下、本発明の好適な実施例を添付図面に基づいて詳細に説明する。本発明の説明において、関連する公知の構成又は機能についての具体的な説明が本発明の要旨をあいまいにする可能性があると判断される場合にはその詳細な説明は省略する。また、本発明の実施例の説明において具体的な数値は実施例に過ぎなく、これによって発明の範囲が制限されない。
【００２７】
本発明による拡張現実コンテンツ提供システムは、中央処理装置（ＣＰＵ）及びメモリ（Ｍｅｍｏｒｙ、記憶装置）を備え、インターネットなどの通信網を介して他の端末機と連結可能なサーバーの形態を有するように構成されることができる。しかし、本発明が中央処理装置及びメモリなどの構成によって限定されるものはない。また、本発明による拡張現実コンテンツ提供システムは物理的に単一の装置で構成されることもでき、複数の装置に分散された形態を有するように具現されることもでき、本発明はこのような物理的装置の構成に限定されない。
【００２８】
図２は本発明の一実施例による拡張現実コンテンツ提供システムの構成を示す図である。
【００２９】
本発明による拡張現実コンテンツ提供システムは、拡張現実情報受信部２１０、拡張現実情報データベース２２０、撮影映像受信部２３０、イメージ識別部２４０、及び拡張現実情報伝送部２５０から構成されることができ、それぞれの構成要素は物理的に同じコンピュータシステム内で動作するソフトウェアモジュールであることができ、物理的に２個以上に分離されたコンピュータシステムが互いに連動して動作することができるように構成された形態を有することができ、同じ機能を含む多様な実施形態が本発明の権利範囲に属する。
【００３０】
拡張現実情報受信部２１０は製品イメージ情報及び拡張現実コンテンツ情報を受信する。
【００３１】
拡張現実情報受信部２１０で受信する製品のイメージは広告しようとする製品の情報を含むイメージであることができ、拡張現実コンテンツ情報は広告しようとする製品に対する広告又は使用説明などの情報を含むことができ、使用者の端末機内で使用者が撮影した製品に対するイメージと整合して該当製品についての情報を出力するか、当該製品を広報するためのキャラクター又は人物の映像を含むこともできる。
【００３２】
拡張現実情報受信部２１０で受信する製品イメージ情報は製品の少なくとも一部に対する一つ以上のイメージを含む。
【００３３】
拡張現実情報受信部２１０で受信する製品イメージ情報は広告しようとする製品の全体の中で一部に対するイメージであることができる。例えば、広告しようとする製品が自動車の場合、製品イメージ情報は、自動車の側面イメージ、正面イメージ及び後面イメージの一つであることができ、自動車の取っ手、自動車の計器盤、自動車の車輪などの製品のイメージ情報は自動車を構成している全ての部品であることができる。
【００３４】
拡張現実情報受信部２１０で受信する製品イメージ情報は製品識別情報を含む。
拡張現実情報受信部２１０で受信する製品識別情報は製品の一部についての情報であることができ、広告しようとする製品の全部だけではなく一部についての情報を含むことができる。例えば、広告しようとする製品がＡ自動車の場合、製品イメージ情報は、Ａ自動車、Ａ自動車の側面、Ａ自動車の正面、Ａ自動車の後面、Ａ自動車の計器盤、Ａ自動車の取っ手、Ａ自動車の車輪に関連した製品の詳細な識別情報を含むことができる。
【００３５】
拡張現実情報受信部２１０で前記製品識別情報として受信する製品イメージ情報は、ロゴ、キャラクター、ＱＲコード（登録商標）、バーコード、文字又はイメージからなる、製品を識別することができる全ての情報であることができる。
【００３６】
拡張現実情報受信部２１０は拡張現実コンテンツ露出費用情報を受信する。
拡張現実情報受信部２１０は拡張現実コンテンツが消費者に露出される頻度又は露出される時間による費用情報を受信することができる。自分の製品を広告しようとする広告主は広告しようとする製品に関連した拡張現実コンテンツを露出する費用を支払わなければならなく、拡張現実情報受信部２１０は広告主が支払おうとする広告費用である拡張現実コンテンツ露出費用情報を受信することができる。
【００３７】
拡張現実情報受信部２１０は拡張現実コンテンツに対応する地域情報を含む。
拡張現実情報受信部２１０は広告しようとする内容が含まれている拡張現実コンテンツに対応する地域情報を含むことができる。拡張現実コンテンツは製品広告内容を含んでおり、広告しようとする製品は限定的な地域に位置するか又は地域とは無関係な製品であることができる。広告しようとする製品の情報が含まれた拡張現実コンテンツを限定的な地域で露出しようとする場合、拡張現実コンテンツと地域情報がマッチングする情報を拡張現実情報受信部２１０で受信することができる。また、広告しようとする製品の情報が含まれた拡張現実コンテンツを限定的な地域で露出しようとしない場合にも拡張現実コンテンツが地域情報を含んでいないという情報をマッチングして拡張現実情報受信部２１０で受信することができる。
【００３８】
拡張現実情報データベース２２０は拡張現実情報受信部２１０で受信した製品イメージ情報及び拡張現実コンテンツ情報を保存する。
【００３９】
拡張現実情報データベース２２０は、拡張現実情報受信部２１０で受信した製品の一部イメージ又は全体イメージを含んでいる製品イメージ情報と、広告しようとする製品の広告内容を含んでいる拡張現実コンテンツ情報とを保存することができる。
【００４０】
拡張現実情報データベース２２０は製品の少なくとも一部に対するイメージのそれぞれに拡張現実コンテンツ情報を対応させて保存する。
【００４１】
拡張現実情報データベース２２０は製品の一部イメージを含む製品イメージ情報と広告しようとする製品の広報情報がある拡張現実コンテンツ情報を対応させて保存することができる。
【００４２】
例えば、Ａ自動車製品の一部イメージである自動車計器盤が拡張現実情報データベース２２０に保存されており、Ａ自動車の自動車計器盤についての広告情報が含まれている拡張現実コンテンツ情報が拡張現実情報データベース２２０に保存されていることができる。拡張現実情報データベース２２０は、Ａ自動車製品の一部イメージである自動車計器盤のイメージとＡ自動車の自動車計器盤についての広告情報が含まれている拡張現実コンテンツ情報をマッチングさせて保存することができる。
【００４３】
撮影映像受信部２３０は使用者端末機からカメラで撮影した映像を受信する。
撮影映像受信部２３０は使用者が使用者端末機のカメラで撮影した製品のイメージ及び映像を受信することができる。使用者が撮影した製品のイメージは製品の一部イメージ又は全体イメージであることができる。
【００４４】
イメージ識別部２４０は拡張現実情報データベース２２０に保存された製品イメージ情報の中で撮影された映像に対応する製品イメージ情報を識別する。
イメージ識別部２４０は使用者が使用者端末機のカメラで撮影したイメージを拡張現実情報データベース２２０に保存された製品イメージ情報から検索して、使用者が使用者端末機のカメラで撮影した製品を識別することができる。
【００４５】
例えば、使用者が使用者端末機のカメラでＡ自動車を撮影した場合、撮影されたイメージに基づいて拡張現実情報データベース２２０に保存されているＡ自動車のイメージを識別して、使用者が撮影した製品がＡ自動車であることを確認することができる。
【００４６】
イメージ識別部２４０は撮影された映像に対応する製品の少なくとも一部に対するイメージを識別する。
【００４７】
イメージ識別部２４０は使用者が使用者端末機のカメラで撮影した製品の一部イメージを拡張現実情報データベース２２０に保存された製品イメージ情報から検索して、使用者が使用者端末機のカメラで撮影した製品を識別することができる。拡張現実情報データベース２２０には製品の全体イメージが保存されているので、イメージ識別部２４０は拡張現実情報データベース２２０に保存されている全体イメージの中で使用者が撮影した製品の一部イメージに基づいて製品を識別することができる。
【００４８】
例えば、拡張現実情報データベース２２０にはＡ自動車の全体に対するイメージが保存されていることができる。使用者が使用者端末機のカメラでＡ自動車の側面を撮影し、イメージ識別部２４０は拡張現実情報データベース２２０に保存されたＡ自動車の全体イメージの中でＡ自動車の側面に関連したイメージの一部を抽出して使用者が撮影した製品の一部イメージがＡ自動車であることを識別することができる。
【００４９】
イメージ識別部２４０は撮影された映像に対応する製品識別情報を確認して製品イメージ情報を識別する。
【００５０】
イメージ識別部２４０は使用者が使用者端末機で撮影したイメージによって広告しようとする製品を確認することができる。例えば、使用者端末機でＡ自動車を撮影した場合、イメージ識別部２４０は使用者が撮影したイメージがＡ自動車であることを識別することができる。
【００５１】
イメージ識別部２４０は識別された製品イメージ情報に含まれた製品の少なくとも一部に対するイメージの中で撮影された映像に対応するイメージを識別する。
【００５２】
イメージ識別部２４０は使用者が製品の一部を撮影した場合、使用者が撮影したその一部イメージを分析して広告しようとする製品を認識し、使用者が撮影した一部の映像が広告しようとする製品のどの部分であるかを識別することができる。
【００５３】
例えば、使用者が端末機でＡ自動車の計量器を撮影すれば、イメージ識別部２４０は使用者が撮影したイメージによってＡ自動車であるという情報とＡ自動車の計量器であるという情報を識別することができる。また、拡張現実情報データベース２２０に保存されているＡ自動車の計量器のイメージに対応する製品イメージ情報を識別することができる。
【００５４】
拡張現実情報伝送部２５０は識別された製品イメージ情報に対応する拡張現実コンテンツ情報を使用者端末機に伝送する。
【００５５】
拡張現実情報伝送部２５０は使用者が撮影した映像に基づいて識別された製品イメージ情報にマッチングする拡張現実コンテンツ情報を使用者端末機に伝送することができる。拡張現実コンテンツ情報は広告しようとする製品に関連したコンテンツであることができ、使用者が撮影した映像に含まれている製品についての広告を提供することができる。
【００５６】
拡張現実情報伝送部２５０は識別された製品の少なくとも一部に対するイメージに対応する拡張現実コンテンツ情報を使用者端末機に伝送する。
【００５７】
拡張現実情報伝送部２５０は製品の一部が撮影されたイメージにマッチングする広告しようとする製品の拡張現実コンテンツ情報を使用者端末機に伝送することができる。
【００５８】
例えば、使用者がＡ自動車の一部に対するイメージであるＡ自動車の計器盤を撮影した場合、使用者は使用者端末機でＡ自動車の計器盤に対する広告及び広報を拡張現実に基づいて受けることができる。
【００５９】
拡張現実情報伝送部２５０は、拡張現実情報データベース２２０で受信した製品イメージ情報が重複する場合、拡張現実コンテンツ露出費用情報に基づいて使用者端末機に伝送すべき拡張現実コンテンツ情報を選定する。
【００６０】
拡張現実情報伝送部２５０は、広告しようとする製品に対するイメージが重複する場合、拡張現実コンテンツ露出費用が高い拡張現実コンテンツを伝送することができる。拡張現実情報データベース２２０に同じ製品イメージ情報が受信される場合、広告主が広告費用として支払おうとする拡張現実コンテンツ露出費用をより高く提示した広告主の拡張現実コンテンツを使用者の端末機に伝送することができる。
【００６１】
例えば、瑞草洞でＡ自動車販売業をしている（Ａ）広告主、（Ｂ）広告主、（Ｃ）広告主がある。（Ａ）広告主、（Ｂ）広告主、（Ｃ）広告主は拡張現実コンテンツを提供しようと拡張現実コンテンツ露出費用を提示することができ、（Ａ）広告主はＡ自動車拡張現実コンテンツ露出のために１０万ウォン、（Ｂ）広告主はＡ自動車拡張現実コンテンツ露出のために１２万ウォン、（Ｃ）広告主はＡ自動車拡張現実コンテンツ露出のために１３万ウォンに相当する拡張現実露出費用を提示した。拡張現実情報受信部２１０は３人が提示した拡張現実コンテンツ露出費用を受けることができる。ここで、瑞草洞で使用者がＡ自動車を撮影して拡張現実コンテンツについての情報を受信しようとすれば、拡張現実情報伝送部２５０は３人の広告主の中で拡張現実コンテンツ露出費用が最も高い（Ｃ）広告主の拡張現実コンテンツ情報を選定して使用者端末機に伝送することができる。
【００６２】
拡張現実情報伝送部２５０は使用者端末機から使用者端末機の位置情報を受信し、位置情報及び地域情報の対応可否に基づいて伝送すべき拡張現実コンテンツ情報を決定する。
【００６３】
拡張現実情報伝送部２５０は、使用者の端末機から使用者端末機の位置情報を受信し、拡張現実情報受信部２１０から受信した拡張現実コンテンツに対応する地域情報と使用者端末機位置情報をマッチングし、使用者が製品を撮影する場合、使用者が撮影した製品に対応する拡張現実コンテンツを伝送することができる。
【００６４】
例えば、使用者が瑞草洞に位置していれば、拡張現実情報伝送部２５０は使用者の端末機が瑞草洞に位置しているという情報を受信することができる。また、拡張現実情報受信部２１０は瑞草洞でＡ自動車販売業をしている（Ｃ）広告主の拡張現実コンテンツを受信することができる。使用者がＡ自動車の側面を撮影して拡張現実コンテンツ情報を受信しようとすれば、（Ｃ）広告主の拡張現実コンテンツを受信し、使用者は（Ｃ）広告主が伝送したコンテンツを受けることができる。また、（Ｃ）広告主は瑞草洞でＡ自動車販売業をしているが駅三洞にも自分の製品情報が含まれた拡張現実コンテンツ情報を伝送しようとすれば地域情報を瑞草洞と駅三洞に地域を指定することができ、瑞草洞と駅三洞に位置しながらＡ自動車に対する拡張現実コンテンツ情報を受信しようとする使用者に伝送することができる。
【００６５】
図３は本発明の一実施例によるカメラで製品の一部に対するイメージである前面映像を撮影した後に拡張現実に基づくコンテンツを提供する一例を示す図である。
【００６６】
製品イメージ情報は製品の少なくとも一部に対する一つ以上のイメージを含み、拡張現実情報データベース２２０は製品の少なくとも一部に対するイメージのそれぞれに拡張現実コンテンツ情報を対応させて保存し、イメージ識別部２４０は撮影された映像に対応する製品の少なくとも一部に対するイメージを識別し、拡張現実情報伝送部２５０は識別された製品の少なくとも一部に対するイメージに対応する拡張現実コンテンツ情報を使用者端末機に伝送することができる。
【００６７】
例えば、Ａ自動車の正面に対応する拡張現実コンテンツは、自動車運転席にオブジェクトが位置し（３０１）、Ａ自動車の運転時の注意事項のような説明をするコンテンツが提供されることができる。使用者が使用者端末機でＡ自動車の正面を撮影した場合、Ａ自動車の正面を撮影したという情報を認識し、拡張現実情報伝送部２５０は使用者の端末機に自動車運転席にオプゼックトを位置させた拡張現実コンテンツを伝送することができる。
【００６８】
図４は本発明の一実施例によるカメラで製品の一部に対するイメージである側面映像を撮影した後に拡張現実に基づくコンテンツを提供する一例を示す図である。
【００６９】
製品イメージ情報は製品の少なくとも一部に対する一つ以上のイメージを含み、拡張現実情報データベース２２０は製品の少なくとも一部に対するイメージのそれぞれに拡張現実コンテンツ情報を対応させて保存し、イメージ識別部２４０は撮影された映像に対応する製品の少なくとも一部に対するイメージを識別し、拡張現実情報伝送部２５０は識別された製品の少なくとも一部に対するイメージに対応する拡張現実コンテンツ情報を使用者端末機に伝送することができる。
【００７０】
例えば、Ａ自動車の側面に対応する拡張現実コンテンツは、スティックを持っているオブジェクトが自動車の側面に位置してＡ自動車の運転時の注意事項又は注油方法のような多様な広告及び広報についての情報を提供するコンテンツが提供されることができる。使用者が使用者端末機でＡ自動車の側面を撮影した場合、Ａ自動車の側面を撮影したという情報を認識し、拡張現実情報伝送部２５０は使用者の端末機にスティックを持っているオブジェクトが自動車の側面に位置しているという拡張現実コンテンツを伝送することができる。
【００７１】
図５は本発明の一実施例によるカメラで製品の一部に対するイメージである細部映像を撮影した後に拡張現実に基づくコンテンツを提供する一例を示す図である。
【００７２】
製品イメージ情報は製品の少なくとも一部に対する一つ以上のイメージを含み、拡張現実情報データベース２２０は製品の少なくとも一部に対するイメージのそれぞれに拡張現実コンテンツ情報を対応させて保存し、イメージ識別部２４０は撮影された映像に対応する製品の少なくとも一部に対するイメージを識別し、拡張現実情報伝送部２５０は識別された製品の少なくとも一部に対するイメージに対応する拡張現実コンテンツ情報を使用者端末機に伝送することができる。
【００７３】
例えば、Ａ自動車の計器盤に対応する拡張現実コンテンツは計器盤についての説明のテキストで情報を提供するコンテンツが提供されることができる。使用者が使用者端末機でＡ自動車の計器盤を撮影した場合、Ａ自動車の計器盤を撮影したという情報を認識し、拡張現実情報伝送部２５０は使用者が撮影した計器盤イメージにエンジン回転計、速度計、燃料計、走行距離計のような説明線が加わった拡張現実コンテンツを伝送することができる。
【００７４】
図６は本発明の一実施例による拡張現実コンテンツ提供方法のフローチャートを示す図である。
【００７５】
以上の拡張現実コンテンツ提供システムは拡張現実コンテンツ提供方法によって具現されて実現されることができ、前記拡張現実コンテンツ提供システムの技術的思想をそのまま適用することができる。
【００７６】
このような拡張現実コンテンツ提供方法はアプリケーションとして具現されるか多様なコンピュータ構成要素によって遂行可能なプログラム命令語の形態として具現されてコンピュータ可読の記録媒体に記録されることができる。前記コンピュータ可読の記録媒体は、プログラム命令語、データファイル、データ構造などを単独で又は組合せで含むことができる。
【００７７】
前記コンピュータ可読の記録媒体に記録されるプログラム命令語は本発明のために特別に設計されて構成されたものであるか、コンピュータソフトウェア分野の当業者に公知となって使用可能なものでもあることができる。
【００７８】
製品イメージ情報及び拡張現実コンテンツ情報受信段階（Ｓ６０１）は、製品イメージ情報及び拡張現実コンテンツ情報を受信する。
【００７９】
製品イメージ情報及び拡張現実コンテンツ情報受信段階（Ｓ６０１）で受信する製品のイメージは広告しようとする製品の情報を含むイメージであることができ、拡張現実コンテンツ情報は広告しようとする製品についての広告内容を含んでいる。
【００８０】
製品イメージ情報及び拡張現実コンテンツ情報受信段階（Ｓ６０１）で受信する製品イメージ情報は製品の少なくとも一部に対する一つ以上のイメージを含む。
【００８１】
製品イメージ情報及び拡張現実コンテンツ情報受信段階（Ｓ６０１）で受信する製品イメージ情報は広告しようとする製品の全体の中で一部に対するイメージであることができる。
【００８２】
製品イメージ情報及び拡張現実コンテンツ情報受信段階（Ｓ６０１）で受信する製品イメージ情報は製品識別情報を含む。
【００８３】
製品イメージ情報及び拡張現実コンテンツ情報受信段階（Ｓ６０１）で受信する製品識別情報は製品の一部についての情報であることができ、広告しようとする製品全体だけではなく一部についての情報を含むことができる。製品イメージ情報及び拡張現実コンテンツ情報受信段階（Ｓ６０１）で受信する製品イメージ情報は、ＱＲコード（登録商標）、バーコード、数字又は文字からなる広告しようとする製品を識別することができる全ての情報であることができる。
【００８４】
製品イメージ情報及び拡張現実コンテンツ情報受信段階（Ｓ６０１）は、拡張現実コンテンツ露出費用情報を受信する。
【００８５】
製品イメージ情報及び拡張現実コンテンツ情報受信段階（Ｓ６０１）は、拡張現実コンテンツが消費者に露出される頻度又は露出される時間による費用情報を受信することができる。自分の製品を広告しようとする広告主は広告しようとする製品に関連した拡張現実コンテンツを露出する費用を支払わなければならなく、製品イメージ情報及び拡張現実コンテンツ情報受信段階（Ｓ６０１）は、広告主が支払おうとする広告費用である拡張現実コンテンツ露出費用情報を受信することができる。
【００８６】
製品イメージ情報及び拡張現実コンテンツ情報受信段階（Ｓ６０１）は、拡張現実コンテンツに対応する地域情報を含む。
【００８７】
製品イメージ情報及び拡張現実コンテンツ情報受信段階（Ｓ６０１）は、広告しようとする内容が含まれている拡張現実コンテンツに対応する地域情報を含むことができる。拡張現実コンテンツは製品広告内容を含んでおり、広告しようとする製品は限定的な地域に位置するか地域とは無関係な製品であることができる。広告しようとする製品の情報が含まれた拡張現実コンテンツを限定的な地域で露出しようとする場合、拡張現実コンテンツと地域情報がマッチングする情報を製品イメージ情報及び拡張現実コンテンツ情報受信段階（Ｓ６０１）で受信することができる。また、広告しようとする製品の情報が含まれた拡張現実コンテンツを限定的な地域で露出しようとしない場合にも拡張現実コンテンツが地域情報を含んでいないという情報をマッチングして製品イメージ情報及び拡張現実コンテンツ情報受信段階（Ｓ６０１）で受信することができる。
【００８８】
コンテンツ情報を拡張現実情報データベースに保存する段階（Ｓ６０２）は、製品イメージ情報及び拡張現実コンテンツ情報受信段階（Ｓ６０１）で受信した製品イメージ情報及び拡張現実コンテンツ情報を保存する。
【００８９】
コンテンツ情報を拡張現実情報データベースに保存する段階（Ｓ６０２）は、製品イメージ情報及び拡張現実コンテンツ情報受信段階（Ｓ６０１）で受信した製品の一部イメージ又は全体イメージを含んでいる製品イメージ情報と広告しようとする製品の広告内容を含んでいる拡張現実コンテンツ情報を保存することができる。
【００９０】
コンテンツ情報を拡張現実情報データベースに保存する段階（Ｓ６０２）は、製品の少なくとも一部に対するイメージのそれぞれに拡張現実コンテンツ情報を対応させて保存する。
【００９１】
コンテンツ情報を拡張現実情報データベースに保存する段階（Ｓ６０２）は、製品の一部イメージを含む製品イメージ情報と広告しようとする製品の広報情報がある拡張現実コンテンツ情報を対応させて保存することができる。
【００９２】
撮影された映像を受信する段階（Ｓ６０３）は、使用者端末機からカメラで撮影した映像を受信する。
【００９３】
撮影された映像を受信する段階（Ｓ６０３）は、使用者が使用者端末機のカメラで撮影した製品のイメージ及び映像を受信することができる。使用者が撮影した製品のイメージは製品の一部イメージ又は全体イメージであることができる。
【００９４】
製品イメージ情報を識別する段階（Ｓ６０４）は、コンテンツ情報を拡張現実情報データベースに保存する段階（Ｓ６０２）に保存された製品イメージ情報の中で撮影された映像に対応する製品イメージ情報を識別する。
【００９５】
製品イメージ情報を識別する段階（Ｓ６０４）は、使用者が使用者端末機のカメラで撮影したイメージを、コンテンツ情報を拡張現実情報データベースに保存する段階（Ｓ６０２）に保存された製品イメージ情報から検索して、使用者が使用者端末機のカメラで撮影した製品を識別することができる。
【００９６】
製品イメージ情報を識別する段階（Ｓ６０４）は、撮影された映像に対応する製品の少なくとも一部に対するイメージを識別する。
【００９７】
製品イメージ情報を識別する段階（Ｓ６０４）は、使用者が使用者端末機のカメラで撮影した製品の一部イメージを、コンテンツ情報を拡張現実情報データベースに保存する段階（Ｓ６０２）に保存された製品イメージ情報から検索して、使用者が使用者端末機のカメラで撮影した製品を識別することができる。コンテンツ情報を拡張現実情報データベースに保存する段階（Ｓ６０２）には製品の全体イメージが保存されているので、製品イメージ情報を識別する段階（Ｓ６０４）はコンテンツ情報を拡張現実情報データベースに保存する段階（Ｓ６０２）に保存されている全体イメージの中で使用者が撮影した製品の一部イメージに基づいて製品を識別することができる。
【００９８】
製品イメージ情報を識別する段階（Ｓ６０４）は、撮影された映像に対応する製品識別情報を確認して製品イメージ情報を識別する。
【００９９】
製品イメージ情報を識別する段階（Ｓ６０４）は、使用者が使用者端末機で撮影したイメージによって広告しようとする製品を確認することができる。
【０１００】
製品イメージ情報を識別する段階（Ｓ６０４）は、識別された製品イメージ情報に含まれた製品の少なくとも一部に対するイメージの中で撮影された映像に対応するイメージを識別する。
【０１０１】
製品イメージ情報を識別する段階（Ｓ６０４）は、使用者が製品の一部を撮影した場合、使用者が撮影したその一部のイメージを分析して広告しようとする製品を認識し、使用者が撮影した一部の映像が広告しようとする製品のどの部分であるかを識別することができる。
【０１０２】
拡張現実コンテンツ情報を使用者端末機に伝送する段階（Ｓ６０５）は、識別された製品イメージ情報に対応する拡張現実コンテンツ情報を使用者端末機に伝送する。
拡張現実コンテンツ情報を使用者端末機に伝送する段階（Ｓ６０５）は、使用者が撮影した映像に基づいて識別された製品イメージ情報にマッチングする拡張現実コンテンツ情報を使用者端末機に伝送することができる。拡張現実コンテンツ情報は広告しようとする製品に関連したコンテンツであることができ、使用者が撮影した映像に含まれている製品についての広告を提供することができる。
【０１０３】
拡張現実コンテンツ情報を使用者端末機に伝送する段階（Ｓ６０５）は、識別された製品の少なくとも一部に対するイメージに対応する拡張現実コンテンツ情報を使用者端末機に伝送する。
【０１０４】
拡張現実コンテンツ情報を使用者端末機に伝送する段階（Ｓ６０５）は、製品の一部が撮影されたイメージにマッチングする広告しようとする製品の拡張現実コンテンツ情報を使用者端末機に伝送することができる。
【０１０５】
拡張現実コンテンツ情報を使用者端末機に伝送する段階（Ｓ６０５）は、コンテンツ情報を拡張現実情報データベースに保存する段階（Ｓ６０２）で受信した製品イメージ情報が重複する場合、拡張現実コンテンツ露出費用情報に基づいて使用者端末機に伝送すべき拡張現実コンテンツ情報を選定する。
【０１０６】
拡張現実コンテンツ情報を使用者端末機に伝送する段階（Ｓ６０５）は、広告しようとする製品に対するイメージが重複する場合、拡張現実コンテンツ露出費用が高い拡張現実コンテンツを伝送することができる。コンテンツ情報を拡張現実情報データベースに保存する段階（Ｓ６０２）に同じ製品イメージ情報が受信される場合、広告主が広告費用として支払おうとする拡張現実コンテンツ露出費用をより高く提示した広告主の拡張現実コンテンツを使用者の端末機に伝送することができる。
【０１０７】
拡張現実コンテンツ情報を使用者端末機に伝送する段階（Ｓ６０５）は、使用者端末機から使用者端末機の位置情報を受信し、位置情報及び地域情報の対応可否に基づいて伝送すべき拡張現実コンテンツ情報を決定する。
【０１０８】
拡張現実コンテンツ情報を使用者端末機に伝送する段階（Ｓ６０５）は、使用者の端末機から使用者端末機の位置情報を受信し、製品イメージ情報及び拡張現実コンテンツ情報受信段階（Ｓ６０１）で受信した拡張現実コンテンツに対応する地域情報と使用者端末機位置情報をマッチングして使用者が製品を撮影する場合、使用者が撮影した製品に対応する拡張現実コンテンツを伝送することができる。
【０１０９】
コンピュータ可読の記録媒体の例には、ハードディスク、フロッピーディスク及び磁気テープのような磁気媒体、ＣＤＲＯＭ、ＤＶＤのような光記録媒体、フロプティカルディスク（ｆｌｏｐｔｉｃａｌ  ｄｉｓｋ）のような磁気光媒体（ｍａｇｎｅｔｏ−ｏｐｔｉｃａｌ  ｍｅｄｉａ）、及びＲＯＭ、ＲＡＭ、フラッシュメモリなどのようなプログラム命令語を保存して遂行するように特別に構成されたハードウェア装置が含まれる。
【０１１０】
プログラム命令語の例には、コンパイラによって作られるもののような機械語コードだけではなく、インタプリターなどを用いてコンピュータによって実行されることができる高級言語コードも含まれる。前記ハードウェア装置は、本発明による処理を遂行するために、一つ以上のソフトウェアモジュールとして作動するように構成されることができ、その逆もまた同様である。
【０１１１】
以上では実施例を参照して説明したが、当該技術分野の熟練した当業者は下記の特許請求範囲に記載された本発明の思想及び領域から逸脱しない範囲内で本発明を多様に修正及び変更させることができる。
【産業上の利用可能性】
【０１１２】
本発明は企業ロゴ又は製品などの登録されたイメージを認識して３Ｄ広告を拡張現実として提供することにより、広告効果を極大化することができるようにするシステム及び方法に関するものであり、製品イメージ情報及び拡張現実コンテンツ情報を受信する拡張現実情報受信部と、受信した製品イメージ情報及び拡張現実コンテンツ情報を保存する拡張現実情報データベースと、使用者端末機からカメラで撮影した映像を受信する撮影映像受信部と、保存された製品イメージ情報の中で撮影された映像に対応する製品イメージ情報を識別するイメージ識別部と、識別された製品イメージ情報に対応する拡張現実コンテンツ情報を使用者端末機に伝送する拡張現実情報伝送部とを含む拡張現実に基づくコンテンツ提供システム及び方法が提供される。
【図１】
2021534518.tif 000003
【図２】
2021534518.tif 000004
【図３】
2021534518.tif 000005
【図４】
2021534518.tif 000006
【図５】
2021534518.tif 000007
【図６】
2021534518.tif 000008
【国際調査報告】
2021534518.tif 000009
2021534518.tif 000010
2021534518.tif 000011
2021534518.tif 000012